(57)【特許請求の範囲】
【請求項１】
局のワイヤレス通信の方法であって、前記方法が、
複数のアンテナ上でフレームの第１のプリアンブルを送信するための第１の複数のサイクリックシフト遅延（ＣＳＤ）値を決定することと、ここにおいて、前記第１の複数のＣＳＤ値を決定することが、前記複数のアンテナの各アンテナのための第１のアンテナＣＳＤ値を決定することと、第１のユーザＣＳＤオフセットを決定することと、前記決定された第１のユーザＣＳＤオフセットに基づいて、前記複数のアンテナの各アンテナのための前記第１のアンテナＣＳＤ値を変更することと、を備え、前記決定された第１のユーザＣＳＤオフセットは各局について異なり、
前記複数のアンテナ上で前記フレームの第２のプリアンブルを送信するための第２の複数のＣＳＤ値を決定することと、ここにおいて、前記第１の複数のＣＳＤ値が、前記第２の複数のＣＳＤ値とは異なり、
前記第１の複数のＣＳＤ値に基づいて前記フレームの前記第１のプリアンブルを送信し、前記第２の複数のＣＳＤ値に基づいて前記フレームの前記第２のプリアンブルを送信することと、
を備える、方法。
【請求項２】
前記第１の複数のＣＳＤ値を決定することが、
ストリームの割り当てられた数に基づいて、少なくとも１つの割り当てられたＣＳＤ値を決定することと、
前記決定された少なくとも１つの割り当てられたアンテナＣＳＤ値に基づいて、前記複数のアンテナの各アンテナのための前記第１のアンテナＣＳＤ値を決定することと、
を備える、請求項１に記載の方法。
【請求項３】
前記第２の複数のＣＳＤ値を決定することが、
前記フレームの前記第２のプリアンブルを送信するための複数のストリームを識別することと、
前記複数のストリームの各ストリームのためのストリームＣＳＤ値を決定することと、
を備える、請求項１に記載の方法。
【請求項４】
４ｘ持続時間をもつシンボルのための前記ストリームＣＳＤ値が、１ｘ持続時間をもつ非レガシーシンボルのＣＳＤ値よりも４倍大きい、請求項３に記載の方法。
【請求項５】
前記複数のアンテナ上で前記フレームの前記第２のプリアンブルを送信するための第３の複数のＣＳＤ値を決定することをさらに備え、
ここにおいて、前記フレームの前記第２のプリアンブルを送信することが、前記第２の複数のＣＳＤ値と前記第３の複数のＣＳＤ値とに基づく、
請求項１に記載の方法。
【請求項６】
前記第３の複数のＣＳＤ値を前記決定することが、
前記複数のアンテナの各アンテナのための第２のアンテナＣＳＤ値を決定することと、
第２のユーザＣＳＤオフセットを決定することと、
前記決定された第２のユーザＣＳＤオフセットに基づいて、前記複数のアンテナの各アンテナのための前記第２のアンテナＣＳＤ値を変更することと、
を備える、請求項５に記載の方法。
【請求項７】
４ｘ持続時間をもつシンボルのための前記第２のアンテナＣＳＤ値が、１ｘ持続時間をもつ非レガシーシンボルのＣＳＤ値よりも４倍大きい、請求項６に記載の方法。
【請求項８】
前記第３の複数のＣＳＤ値を決定することが、
少なくとも１つの割り当てられたＣＳＤ値を決定することと、
前記決定された少なくとも１つの割り当てられたＣＳＤ値に基づいて、前記複数のアンテナの各アンテナのための第２のアンテナＣＳＤ値を決定することと、
を備える、請求項５に記載の方法。
【請求項９】
ワイヤレス通信のための装置であって、
複数のアンテナ上でフレームの第１のプリアンブルを送信するための第１の複数のサイクリックシフト遅延（ＣＳＤ）値を決定するための手段と、ここにおいて、前記第１の複数のＣＳＤ値を決定するための前記手段が、前記複数のアンテナの各アンテナのための第１のアンテナＣＳＤ値を決定することと、第１のユーザＣＳＤオフセットを決定することと、前記決定された第１のユーザＣＳＤオフセットに基づいて、前記複数のアンテナの各アンテナのための前記第１のアンテナＣＳＤ値を変更することと、を行うように構成され、前記決定された第１のユーザＣＳＤオフセットは各局について異なり、
前記複数のアンテナ上で前記フレームの第２のプリアンブルを送信するための第２の複数のＣＳＤ値を決定するための手段と、ここにおいて、前記第１の複数のＣＳＤ値が、前記第２の複数のＣＳＤ値とは異なり、
前記第１の複数のＣＳＤ値に基づいて前記フレームの前記第１のプリアンブルを送信し、前記第２の複数のＣＳＤ値に基づいて前記フレームの前記第２のプリアンブルを送信するための手段と、
を備える、装置。
【請求項１０】
前記第１の複数のＣＳＤ値を決定するための前記手段が、
ストリームの割り当てられた数に基づいて、少なくとも１つの割り当てられたＣＳＤ値を決定することと、
前記決定された少なくとも１つの割り当てられたアンテナＣＳＤ値に基づいて、前記複数のアンテナの各アンテナのための前記第１のアンテナＣＳＤ値を決定することと、
を行うように構成される、請求項９に記載の装置。
【請求項１１】
前記第２の複数のＣＳＤ値を決定するための前記手段が、
前記フレームの前記第２のプリアンブルを送信するための複数のストリームを識別することと、
前記複数のストリームの各ストリームのためのストリームＣＳＤ値を決定することと、
を行うように構成される、請求項９に記載の装置。
【請求項１２】
４ｘ持続時間をもつシンボルのための前記ストリームＣＳＤ値が、１ｘ持続時間をもつ非レガシーシンボルのＣＳＤ値よりも４倍大きい、請求項１１に記載の装置。
【請求項１３】
前記複数のアンテナ上で前記フレームの前記第２のプリアンブルを送信するための第３の複数のＣＳＤ値を決定するための手段をさらに備え、
ここにおいて、前記フレームの前記第２のプリアンブルを送信することが、前記第２の複数のＣＳＤ値と前記第３の複数のＣＳＤ値とに基づく、
請求項９に記載の装置。
【請求項１４】
前記第３の複数のＣＳＤ値を決定するための前記手段が、
前記複数のアンテナの各アンテナのための第２のアンテナＣＳＤ値を決定することと、
第２のユーザＣＳＤオフセットを決定することと、
前記決定された第２のユーザＣＳＤオフセットに基づいて、前記複数のアンテナの各アンテナのための前記第２のアンテナＣＳＤ値を変更することと、
を行うように構成される、請求項１３に記載の装置。
【請求項１５】
４ｘ持続時間をもつシンボルのための前記第２のアンテナＣＳＤ値が、１ｘ持続時間をもつ非レガシーシンボルのＣＳＤ値よりも４倍大きい、請求項１４に記載の装置。
【請求項１６】
前記第３の複数のＣＳＤ値を決定するための前記手段が、
少なくとも１つの割り当てられたＣＳＤ値を決定することと、
前記決定された少なくとも１つの割り当てられたＣＳＤ値に基づいて、前記複数のアンテナの各アンテナのための第２のアンテナＣＳＤ値を決定することと、
を行うように構成される、請求項１３に記載の装置。
【請求項１７】
ワイヤレス通信のための装置であって、
メモリと、
前記メモリに結合された少なくとも１つのプロセッサと、
を備え、ここにおいて、前記少なくとも１つのプロセッサが、
複数のアンテナ上でフレームの第１のプリアンブルを送信するための第１の複数のサイクリックシフト遅延（ＣＳＤ）値を決定することと、ここにおいて、前記少なくとも１つのプロセッサが、前記複数のアンテナの各アンテナのための第１のアンテナＣＳＤ値を決定することと、第１のユーザＣＳＤオフセットを決定することと、前記決定された第１のユーザＣＳＤオフセットに基づいて、前記複数のアンテナの各アンテナのための前記第１のアンテナＣＳＤ値を変更することと、を行うように構成されることによって第１の複数のＣＳＤ値を決定するように構成され、前記決定された第１のユーザＣＳＤオフセットは各局について異なり、
前記複数のアンテナ上で前記フレームの第２のプリアンブルを送信するための第２の複数のＣＳＤ値を決定することと、ここにおいて、前記第１の複数のＣＳＤ値が、前記第２の複数のＣＳＤ値とは異なり、
前記第１の複数のＣＳＤ値に基づいて前記フレームの前記第１のプリアンブルを送信し、前記第２の複数のＣＳＤ値に基づいて前記フレームの前記第２のプリアンブルを送信することと、
を行うように構成される、装置。
【請求項１８】
前記少なくとも１つのプロセッサが、
ストリームの割り当てられた数に基づいて、少なくとも１つの割り当てられたＣＳＤ値を決定することと、
前記決定された少なくとも１つの割り当てられたアンテナＣＳＤ値に基づいて、前記複数のアンテナの各アンテナのための前記第１のアンテナＣＳＤ値を決定することと、
を行うように構成されることによって前記第１の複数のＣＳＤ値を決定するように構成される、請求項１７に記載の装置。
【請求項１９】
前記少なくとも１つのプロセッサが、
前記フレームの前記第２のプリアンブルを送信するための複数のストリームを識別することと、
前記複数のストリームの各ストリームのためのストリームＣＳＤ値を決定することと、
を行うように構成されることによって前記第２の複数のＣＳＤ値を決定するように構成される、請求項１７に記載の装置。
【請求項２０】
４ｘ持続時間をもつシンボルのための前記ストリームＣＳＤ値が、１ｘ持続時間をもつ非レガシーシンボルのＣＳＤ値よりも４倍大きい、請求項１９に記載の装置。
【請求項２１】
前記少なくとも１つのプロセッサが、前記複数のアンテナ上で前記フレームの前記第２のプリアンブルを送信するための第３の複数のＣＳＤ値を決定するようにさらに構成され、ここにおいて、前記少なくとも１つのプロセッサが、ＣＳＤ値の前記第２のセットと前記第３のセットとに基づいて、前記フレームの前記第２のプリアンブルを送信するように構成される、請求項１７に記載の装置。
【請求項２２】
前記少なくとも１つのプロセッサが、
前記複数のアンテナの各アンテナのための第２のアンテナＣＳＤ値を決定することと、
第２のユーザＣＳＤオフセットを決定することと、
前記決定された第２のユーザＣＳＤオフセットに基づいて、前記複数のアンテナの各アンテナのための前記第２のアンテナＣＳＤ値を変更することと、
を行うように構成されることによって前記第３の複数のＣＳＤ値を決定するように構成される、請求項２１に記載の装置。
【請求項２３】
４ｘ持続時間をもつシンボルのための前記第２のアンテナＣＳＤ値が、１ｘ持続時間をもつ非レガシーシンボルのＣＳＤ値よりも４倍大きい、請求項２２に記載の装置。
【請求項２４】
前記少なくとも１つのプロセッサが、
少なくとも１つの割り当てられたＣＳＤ値を決定することと、
前記決定された少なくとも１つの割り当てられたＣＳＤ値に基づいて、前記複数のアンテナの各アンテナのための第２のアンテナＣＳＤ値を決定することと、
を行うように構成されることによって前記第３の複数のＣＳＤ値を決定するように構成される、請求項２１に記載の装置。
【請求項２５】
ワイヤレスデバイスによるワイヤレス通信のためのコンピュータ実行可能コードを記憶するコンピュータ可読記憶媒体であって、
複数のアンテナ上でフレームの第１のプリアンブルを送信するための第１の複数のサイクリックシフト遅延（ＣＳＤ）値を決定するためのコードと、ここにおいて、前記第１の複数のＣＳＤ値を決定するための前記コードが、前記複数のアンテナの各アンテナのためのアンテナＣＳＤ値を決定することと、ユーザＣＳＤオフセットを決定することと、前記決定されたユーザＣＳＤオフセットに基づいて、前記複数のアンテナの各アンテナのための前記アンテナＣＳＤ値を変更することと、を行うためのコードを備え、前記決定された第１のユーザＣＳＤオフセットは各局について異なり、
前記複数のアンテナ上で前記フレームの第２のプリアンブルを送信するための第２の複数のＣＳＤ値を決定するためのコードと、ここにおいて、前記第１の複数のＣＳＤ値が、前記第２の複数のＣＳＤ値とは異なり、
前記第１の複数のＣＳＤ値に基づいて前記フレームの前記第１のプリアンブルを送信し、前記第２の複数のＣＳＤ値に基づいて前記フレームの前記第２のプリアンブルを送信するためのコードと、
を備える、コンピュータ可読記憶媒体。
【請求項２６】
前記第１の複数のＣＳＤ値を決定するための前記コードが、
ストリームの割り当てられた数に基づいて、少なくとも１つの割り当てられたＣＳＤ値を決定することと、
前記決定された少なくとも１つの割り当てられたアンテナＣＳＤ値に基づいて、前記複数のアンテナの各アンテナのための前記アンテナＣＳＤ値を決定することと、
を行うためのコードを備える、請求項２５に記載のコンピュータ可読記憶媒体。
【発明の詳細な説明】
【関連出願の相互参照】
【０００１】
[0001]本出願は、それらの全体が参照により本明細書に明確に組み込まれる、２０１４年１０月３日に出願された「Per Stream and Per Anntenna Cyclic Shift Delay in Uplink Multi-User MIMO」と題する米国仮出願第６２／０５９，８０８号、および２０１５年９月３０日に出願された「PER STREAM AND PER ANTENA CYCLIC SHIFT DELAY IN UPLINK MULTI-USER MIMO」と題する米国特許出願第１４／８７１，９２５号の利益を主張する。
【背景技術】
【０００２】
分野
[0002]本開示は、一般に通信システムに関し、より詳細には、アップリンクマルチユーザ（ＭＵ）多入力多出力（ＭＩＭＯ）送信におけるストリームごとおよびアンテナごとの（per stream and per antenna）サイクリックシフト遅延（ＣＳＤ：cyclic shift delay）に関する。
【０００３】
背景技術
[0003]多くの電気通信システムでは、通信ネットワークは、いくつかの対話している（interacting）空間的に分離されたデバイスの間でメッセージを交換するために使用される。ネットワークは、たとえば、メトロポリタンエリア、ローカルエリア、またはパーソナルエリアであり得る地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）と呼ばれるであろう。ネットワークはまた、様々なネットワークノードとデバイスとを相互接続するために使用されるスイッチング／ルーティング技法（たとえば、回線スイッチング（circuit switching）対パケットスイッチング）、送信のために採用される物理媒体のタイプ（たとえば、ワイヤード対ワイヤレス）、および使用される通信プロトコルのセット（たとえば、インターネットプロトコルスイート、同期光ネットワーキング（ＳＯＮＥＴ：Synchronous Optical Networking）、イーサネット（登録商標）など）によって異なる。
【０００４】
[0004]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用する非誘導伝搬モード（an unguided propagation mode）では、無形物理媒体を採用する。ワイヤレスネットワークは、有利には、固定ワイヤードネットワークと比較されるとき、ユーザモビリティと迅速なフィールド展開とを可能にする。
【発明の概要】
【０００５】
[0005]本発明のシステム、方法、コンピュータ可読媒体、およびデバイスは、それぞれいくつかの態様を有し、それらのうちの単一の態様が、単独で、本発明の望ましい属性を担う（responsible）とは限らない。次に、以下の特許請求の範囲によって表される本発明の範囲を限定することなしに、いくつかの特徴が手短に説明される。この説明を考察した後、特に「詳細な説明」と題するセクションを読んだ後、本発明の特徴が、ワイヤレスネットワークにおけるデバイスに利点をどのように提供するかが理解されよう。
【０００６】
[0006]本開示の一態様は、ワイヤレス通信のための装置（たとえば、局（a station））を提供する。本装置は、複数のアンテナ上で情報の第１のセットを送信するためのＣＳＤ値の第１のセットを決定するように構成される。本装置は、複数のアンテナ上で情報の第２のセットを送信するためのＣＳＤ値の第２のセットを決定するように構成される。本装置は、ＣＳＤ値の第１のセットに基づいて情報の第１のセットを送信し、ＣＳＤ値の第２のセットに基づいて情報の第２のセットを送信するように構成される。
【図面の簡単な説明】
【０００７】
【図１】[0007]本開示の態様が採用され得る、例示的なワイヤレス通信システムを示す図。
【図２】[0008]ワイヤレスネットワーク（たとえば、Ｗｉ−Ｆｉ（登録商標）ネットワーク）の図。
【図３】[0009]アップリンクマルチユーザＭＩＭＯのための異なるＬＴＦ設計の図。
【図４】[0010]情報を送信するためのアンテナごとおよび／またはストリームごとのＣＳＤ値を決定する局の図。
【図５】[0011]アンテナごとおよび／またはストリームごとのＣＳＤ値を使用して情報を送信するための、図１のワイヤレス通信システム内で採用され得るワイヤレスデバイスの機能ブロック図。
【図６】[0012]アンテナごとおよび／またはストリームごとのＣＳＤ値を使用して情報を送信するためのワイヤレス通信の例示的な方法のフローチャート。
【図７】[0013]アンテナごとおよび／またはストリームごとのＣＳＤ値を使用して情報を送信するための例示的なワイヤレス通信デバイスの機能ブロック図。
【詳細な説明】
【０００８】
[0014]添付の図面を参照しながら、新規のシステム、装置、コンピュータプログラム製品、および方法の様々な態様が以下でより十分に説明される。ただし、本開示は、多くの異なる形態で具現化され得、本開示全体にわたって提示される任意の特定の構造または機能に限定されるものと解釈されるべきではない。むしろ、これらの態様は、本開示が周到（thorough）で完全であり、本開示の範囲を当業者に十分に伝えるように与えられるものである。本明細書の教示に基づいて、本開示の範囲は、本発明の任意の他の態様とは無関係にインプリメントされる（implemented）にせよ、本発明の任意の他の態様と組み合わせられるにせよ、本明細書で開示される新規のシステム、装置、コンピュータプログラム製品、および方法のいかなる態様をもカバーすることを意図されることを、当業者は諒解されたい。たとえば、本明細書に記載される態様をいくつ使用しても、装置はインプリメントされ得、または方法は実施され得る。さらに、本発明の範囲は、本明細書に記載される本発明の様々な態様に加えてまたはそれらの態様以外に、他の構造、機能、または構造および機能を使用して実施されるそのような装置または方法をカバーすることを意図される。本明細書で開示されるいかなる態様も請求項の１つまたは複数の要素によって具現化され得ることを理解されたい。
【０００９】
[0015]本明細書では特定の態様が説明されるが、これらの態様の多くの変形および置換は本開示の範囲内に入る。好適な態様のいくつかの利益および利点が説明されるが、本開示の範囲は、特定の利益、使用、または目的に限定されることを意図されない。むしろ、本開示の態様は、様々なワイヤレス技術、システム構成、ネットワーク、および送信プロトコルに広く適用可能であることを意図され、それらのうちのいくつかが、例として、図において、および好適な態様についての以下の説明において示される。詳細な説明および図面は、本開示を限定するものではなく説明するものにすぎず、本開示の範囲は、添付の特許請求の範囲およびそれの均等物によって定義される。
【００１０】
[0016]普及している（popular）ワイヤレスネットワーク技術は、様々なタイプのＷＬＡＮｓを含み得る。ＷＬＡＮは、広く使用されるネットワーキングプロトコルを採用して、近くのデバイス（nearby devices）を互いに相互接続するために使用され得る。本明細書で説明される様々な態様は、ワイヤレスプロトコルなど、任意の通信規格に適用され得る。
【００１１】
[0017]いくつかの態様では、ワイヤレス信号は、直交周波数分割多重（ＯＦＤＭ）、直接シーケンススペクトラム拡散（ＤＳＳＳ）通信、ＯＦＤＭとＤＳＳＳ通信との組合せ、または他の方式を使用して、８０２．１１プロトコルに従って送信され得る。８０２．１１プロトコルのインプリメンテーション（implementations）は、センサー、メータリング（metering）、およびスマートグリッドネットワークのために使用され得る。有利には、８０２．１１プロトコルをインプリメントするいくつかのデバイスの態様は、他のワイヤレスプロトコルをインプリメントするデバイスよりも少ない電力を消費し得、および／または比較的長い距離、たとえば約１キロメートル以上にわたってワイヤレス信号を送信するために使用され得る。
【００１２】
[0018]いくつかのインプリメンテーションでは、ＷＬＡＮは、ワイヤレスネットワークにアクセスするコンポーネントである様々なデバイスを含む。たとえば、２つのタイプのデバイス、すなわちアクセスポイント（ＡＰｓ）および（局または「ＳＴＡｓ」とも呼ばれる）クライアントがあり得る。概して、ＡＰはＷＬＡＮのためのハブまたは基地局として働き得、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉ−Ｆｉ（たとえば、ＩＥＥＥ８０２．１１プロトコル）準拠ワイヤレスリンクを介してＡＰに接続する。いくつかのインプリメンテーションでは、ＳＴＡはＡＰとして使用されることもある。
【００１３】
[0019]アクセスポイントはまた、ノードＢ、無線ネットワークコントローラ（ＲＮＣ）、ｅノードＢ、基地局コントローラ（ＢＳＣ）、基地トランシーバ局（ＢＴＳ）、基地局（ＢＳ）、トランシーバ機能（ＴＦ）、無線ルータ、無線トランシーバ、接続ポイント、または何らかの他の用語を備えるか、それらとしてインプリメントされるか、あるいはそれらとして知られていることがある。
【００１４】
[0020]局はまた、アクセス端末（ＡＴ）、加入者局、加入者ユニット、移動局、リモート局、リモート端末、ユーザ端末、ユーザエージェント、ユーザデバイス、ユーザ機器、または何らかの他の用語を備えるか、それらとしてインプリメントされるか、あるいはそれらとして知られていることがある。いくつかのインプリメンテーションでは、局は、セルラー電話、コードレス電話、セッション開始プロトコル（ＳＩＰ）フォン、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の好適な処理デバイスを備え得る。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、パーソナルデータアシスタント（a personal data assistant））、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された任意の他の好適なデバイスに組み込まれ得る。
【００１５】
[0021]一態様では、ワイドエリアＷＬＡＮ（たとえば、Ｗｉ−Ｆｉ）接続性のために、ＭＩＭＯ方式が使用され得る。ＭＩＭＯは、マルチパスと呼ばれる電波特性を活用する。マルチパスでは、送信されたデータは、物体（たとえば、壁、ドア、家具）に当たって跳ね返り、異なるルートを通っておよび異なる時間に複数回受信アンテナに達し得る。ＭＩＭＯを採用するＷＬＡＮデバイスが、データストリームを、空間ストリーム（またはマルチストリーム）と呼ばれる複数の部分に分割し、各空間ストリームを、別個のアンテナを通して受信ＷＬＡＮデバイス上の対応するアンテナに送信する。
【００１６】
[0022]「関連付ける」または「関連付け」という用語、あるいはそれらの任意の変形態は、本開示のコンテキスト内で可能な最も広い意味を与えられるべきである。例として、第１の装置が第２の装置に関連付けるとき、２つの装置が直接関連付けられ得るか、または中間装置が存在し得ることを理解されたい。簡潔のために、２つの装置間の関連付けを確立するためのプロセスが、装置のうちの１つによる「関連付け要求」と、後続の、他の装置による「関連付け応答」とを必要とする、ハンドシェイクプロトコルを使用して説明される。ハンドシェイクプロトコルが、例として、認証を提供するためのシグナリングなど、他のシグナリングを必要とし得ることが、当業者には理解されよう。
【００１７】
[0023]本明細書における「第１」、「第２」などの名称を使用した要素への言及は、それらの要素の数量または順序を概括的に限定するものでない。むしろ、これらの名称は、本明細書において２つ以上の要素またはある要素の複数の事例を区別する便利な方法として使用される。したがって、第１および第２の要素への言及は、２つの要素のみが採用され得ること、または第１の要素が第２の要素に先行しなければならないことを意味するものではない。さらに、項目のリスト「のうちの少なくとも１つ」を指すフレーズは、単一のメンバーを含む、それらの項目の任意の組合せを指す。一例として、「Ａ、Ｂ、またはＣのうちの少なくとも１つ」は、Ａ、またはＢ、またはＣ、あるいはそれらの任意の組合せ（たとえば、Ａ−Ｂ、Ａ−Ｃ、Ｂ−Ｃ、およびＡ−Ｂ−Ｃ）をカバーすることを意図される。
【００１８】
[0024]上記で説明されたように、本明細書で説明されるいくつかのデバイスは、たとえば、８０２．１１規格をインプリメントし（implement）得る。そのようなデバイスは、ＳＴＡとして使用されるのか、ＡＰとして使用されるのか、他のデバイスとして使用されるのかにかかわらず、スマートメータリングのためにまたはスマートグリッドネットワークにおいて使用され得る。そのようなデバイスは、センサー適用例を与えるか、またはホームオートメーションにおいて使用され得る。デバイスは、代わりにまたは追加として、ヘルスケアコンテキストにおいて、たとえばパーソナルヘルスケアのために使用され得る。それらはまた、（たとえば、ホットスポットとともに使用するための）拡張された範囲のインターネット接続性を可能にするために、またはマシンツーマシン通信をインプリメントするために、監視のために使用され得る。
【００１９】
[0025]図１は、本開示の態様が採用され得る、例示的なワイヤレス通信システム１００を示す。ワイヤレス通信システム１００は、ワイヤレス規格、たとえばＩＥＥＥ８０２．１１規格に従って動作し得る。ワイヤレス通信システム１００は、ＳＴＡｓ（たとえば、ＳＴＡｓ１１２、１１４、１１６、および１１８）と通信するＡＰ１０４を含み得る。
【００２０】
[0026]様々なプロセスおよび方法は、ＡＰ１０４とＳＴＡｓとの間の、ワイヤレス通信システム１００における送信のために使用され得る。たとえば、信号は、ＯＦＤＭ／ＯＦＤＭＡ技法に従って、ＡＰ１０４とＳＴＡｓとの間で送信および受信され得る。そうである場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡｓとの間で送信および受信され得る。そうである場合、ワイヤレス通信システム１００はＣＤＭＡシステムと呼ばれることがある。
【００２１】
[0027]ＡＰ１０４からＳＴＡｓのうちの１つまたは複数への送信を可能にする通信リンクはダウンリンク（ＤＬ）１０８と呼ばれることがあり、ＳＴＡｓのうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。いくつかの態様では、ＤＬ通信は、ユニキャストまたはマルチキャストトラフィックインジケーションを含み得る。
【００２２】
[0028]ＡＰ１０４は、いくつかの態様では、ＡＰ１０４が、著しいアナログデジタル変換（ＡＤＣ）クリッピング雑音を引き起こすことなしに、同時に２つ以上のチャネル上でＵＬ通信を受信し得るように、隣接チャネル干渉（ＡＣＩ）を抑制し得る。ＡＰ１０４は、たとえば、各チャネルについて別々の有限インパルス応答（ＦＩＲ）フィルタを有すること、または増大されたビット幅をもつより長いＡＤＣバックオフ期間を有することによって、ＡＣＩの抑制を改善し得る。
【００２３】
[0029]ＡＰ１０４は、基地局として働き、基本サービスエリア（ＢＳＡ）１０２においてワイヤレス通信カバレージを与え得る。ＢＳＡ（たとえば、ＢＳＡ１０２）は、ＡＰ（たとえば、ＡＰ１０４）のカバレージエリアである。ＡＰ１０４は、ＡＰ１０４に関連付けられ、通信のためにＡＰ１０４を使用するＳＴＡｓとともに、基本サービスセット（ＢＳＳ）と呼ばれることがある。ワイヤレス通信システム１００は、中央ＡＰ（たとえば、ＡＰ１０４）を有しないことがあり、むしろ、ＳＴＡｓ間のピアツーピアネットワークとして機能し得ることに留意されたい。したがって、本明細書で説明されるＡＰ１０４の機能は、ＳＴＡｓのうちの１つまたは複数によって代替的に実施され得る。
【００２４】
[0030]ＡＰ１０４は、ダウンリンク１０８などの通信リンクを介して、ワイヤレス通信システム１００の他のノード（ＳＴＡｓ）にビーコン信号（または単に「ビーコン」）を、１つまたは複数のチャネル（たとえば、各チャネルが周波数帯域幅を含む、複数の狭帯域チャネル）上で送信し得、ビーコン信号は、他のノード（ＳＴＡｓ）がそれらのタイミングをＡＰ１０４と同期させるのを助け得るか、あるいは他の情報または機能を与え得る。そのようなビーコンは周期的に送信され得る。一態様では、連続送信間の期間はスーパーフレームと呼ばれることがある。ビーコンの送信は、いくつかのグループまたは間隔に分割され得る。一態様では、ビーコンは、限定はしないが、共通クロックを設定するためのタイムスタンプ情報、ピアツーピアネットワーク識別子、デバイス識別子、能力（capability）情報、スーパーフレーム持続時間、送信方向情報、受信方向情報、ネイバーリスト、および／または拡張ネイバーリストなどの情報を含み得、それらのうちのいくつかが、以下でさらに詳細に説明される。したがって、ビーコンは、いくつかのデバイスの間で共通である（たとえば、共有される）とともに所与のデバイスに固有である、情報を含み得る。
【００２５】
[0031]いくつかの態様では、ＳＴＡ（たとえば、ＳＴＡ１１４）は、ＡＰ１０４に通信を送るために、および／またはＡＰ１０４から通信を受信するために、ＡＰ１０４に関連付けることを必要とされ得る。一態様では、関連付けるための情報が、ＡＰ１０４によってブロードキャストされるビーコン中に含まれる。そのようなビーコンを受信するために、ＳＴＡ１１４は、たとえば、カバレージ領域にわたって広いカバレージ探索を実行し得る。探索はまた、ＳＴＡ１１４によって、たとえば、灯台方式で（in a lighthouse fashion）カバレージ領域を探すこと（sweeping）によって実行され得る。関連付けるための情報を受信した後に、ＳＴＡ１１４は、関連付けプローブまたは要求などの基準信号をＡＰ１０４に送信し得る。いくつかの態様では、ＡＰ１０４は、たとえば、インターネットまたは公衆交換電話網（ＰＳＴＮ）などのより大きいネットワークと通信するために、バックホールサービスを使用し得る。
【００２６】
[0032]一態様では、ＳＴＡ１１４は、様々な機能を実行するための１つまたは複数のコンポーネントを含み得る。たとえば、ＳＴＡ１１４は、ＳＴＡ１１４に関連付けられたアンテナのセット上で情報の第１のセットを送信するためのＣＳＤ値の第１のセットを決定するように構成されたＣＳＤコンポーネント１２４を含み得る。ＣＳＤコンポーネント１２４は、アンテナのセット上で情報の第２のセットを送信するためのＣＳＤ値の第２のセットを決定するように構成され得る。ＣＳＤコンポーネント１２４は、ＣＳＤ値の第１のセットに基づいて情報の第１のセットを送信し、ＣＳＤ値の第２のセットに基づいて情報の第２のセットを送信するように構成され得る。
【００２７】
[0033]図２は、ワイヤレスネットワーク（たとえば、ＩＥＥＥ８０２．１１規格を採用するＷｉ−Ｆｉネットワーク）の図２００である。図２００は、サービスエリア２１４内でブロードキャスト／送信するＡＰ２０２を示している。ＳＴＡｓ２０６、２０８、２１０、２１２が、ＡＰ２０２のサービスエリア２１４内にある（４つのＳＴＡｓのみが図２に示されているが、より多いまたはより少ないＳＴＡｓがサービスエリア２１４内にあり得る）。ＡＰ２０２は、ＳＴＡ２１２に（およびＳＴＡｓ２０６、２０８、２１０に）トリガメッセージ２１６を送信し得る。トリガメッセージ２１６は、ＳＴＡｓ２０６、２０８、２１０、２１２の各々に関係する構成情報を含み得る。
【００２８】
[0034]ＡＰ２０２は、１つまたは複数のフレーム中で１つまたは複数のＳＴＡｓ（たとえば、ＳＴＡｓ２０６、２０８、２１０、２１２）にシンボル（たとえば、データシンボルまたはロングトレーニングフィールド（ＬＴＦ）シンボル）２０４を送信し得、その逆も同様である。フレーム２５０は、プリアンブル２６０とデータシンボル２９８とを含み得る。プリアンブル２６０は、他の情報の中でも、フレーム２５０を送信するための変調およびコーディング方式と、送信レートと、時間の長さとを識別する情報をもつフレーム２５０のヘッダと見なされ得る。たとえば、プリアンブル２６０は、レガシープリアンブル２７０と高効率（ＨＥ）プリアンブル２８０とを含み得る（たとえば、ＨＥプリアンブル２８０は、将来のＩＥＥＥ８０２．１１規格において使用され得る）。レガシープリアンブル２７０は、より新しいＷｉ−Ｆｉ規格に適合しない製品がフレーム２５０を復号することを可能にするために、より古いＷｉ−Ｆｉ規格のためのヘッダ情報を含んでいることがある。レガシープリアンブル２７０は、レガシーショートトレーニングフィールド（Ｌ−ＳＴＦ）シンボル２７２、レガシーロングトレーニングフィールド（Ｌ−ＬＴＦ）シンボル２７４、レガシー信号フィールド（Ｌ−ＳＩＧ）シンボル２７６、超高スループット信号フィールドＡ（ＶＨＴ−ＳＩＧ−Ａ）シンボル２７８、および／または他のフィールドを含み得る。レガシープリアンブル２７０中の様々なフィールドの各々は、１つまたは複数のＯＦＤＭシンボルを含み得、１ｘシンボル持続時間（time duration）（たとえば、３．２μｓまたは３．２μｓの何らかの倍数のシンボル持続時間）を有し得る。Ｌ−ＳＴＦシンボル２７２は、マルチ送信およびマルチ受信システムにおける自動利得制御（ＡＧＣ）を改善するために使用され得る。Ｌ−ＬＴＦシンボル２７４は、チャネル推定を実行するために受信機（たとえば、ＳＴＡ２０６またはＡＰ２０２）のために必要とされる情報を与えるために使用され得る。Ｌ−ＳＩＧシンボル２７６およびＶＨＴ−ＳＩＧ−Ａシンボル２７８は、転送レートおよび長さ情報を与えるために使用され得る。レガシープリアンブル２７０中のシンボルは、１ｘシンボル持続時間（たとえば、そのうちの０．８μｓがサイクリックプレフィックス（ＣＰ）であり得る４μｓ）を有し得る。
【００２９】
[0035]レガシープリアンブル２７０に加えて、プリアンブル２６０はＨＥプリアンブル２８０を含み得る。ＨＥプリアンブル２８０は、将来のＷｉ−Ｆｉ規格に関係するヘッダ情報を含んでいることがある。ＨＥプリアンブル２８０は、ＨＥ信号フィールド（ＨＥ−ＳＩＧ）シンボル２９２、ＨＥショートトレーニングフィールド（ＨＥ−ＳＴＦ）シンボル２９４、１つまたは複数のＨＥロングトレーニングフィールド（ＨＥ−ＬＴＦ）シンボル２９６、および／または他のフィールドを含み得る。ＨＥ−ＳＴＦシンボル２９４は、ＡＧＣを改善するために使用され得る。ＨＥ−ＳＩＧシンボル２９２は、転送レートおよび長さ情報を与えるために使用され得る。また、ＨＥ−ＬＴＦシンボル２９６はチャネル推定のために使用され得る。ＨＥ−ＬＴＦシンボル２９６の数は、異なるＳＴＡｓからの時空間ストリーム（space-time streams）の数に等しいかまたはそれよりも大きいことがある。たとえば、４つのＳＴＡｓがある場合、４つのＬＴＦシンボル（すなわちＨＥ−ＬＴＦ１、ＨＥ−ＬＴＦ２、ＨＥ−ＬＴＦ３、ＨＥ−ＬＴＦ４）があり得る。フレーム２５０はまた、たとえばＳＴＡ２０６とＡＰ２０２の間で通信されるべきユーザデータを含んでいるデータシンボル２９８のセットを含み得る。データシンボル２９８とともにＨＥプリアンブル２８０はＨＥ部分２９０を構成し得る。ＨＥプリアンブル２８０中のシンボルおよびデータシンボル２９８は、４ｘシンボル持続時間（たとえば、そのうちの３．２μｓがＣＰであり得る１６μｓ）を有し得る。
【００３０】
[0036]図２中のＷｉ−Ｆｉネットワークなど、Ｗｉ−Ｆｉネットワーク内のアップリンクマルチユーザＭＩＭＯ送信では、各ＳＴＡはＭＩＭＯのための複数の送信アンテナを有し得る。たとえば、ＳＴＡ２０６は４つの送信アンテナを有し得、ＳＴＡ２０８は２つの送信アンテナを有し得、ＳＴＡｓ２１０、２１２はそれぞれ４つの送信アンテナを有し得る。ＳＴＡｓ２０６、２０８、２１０、２１２がＡＰ２０２に同時に送信した場合、各ＳＴＡは、他のＳＴＡｓからのいくつの送信アンテナがアップリンク送信に参加しているかを知らないことがある。様々な送信のタイミングが互いにオフセットされない限り、偶発的（unintentional）ビームフォーミングが生じ得る。したがって、偶発的ビームフォーミングを回避し、ＡＧＣ設定を容易にし、特にフラットフェージングシナリオにおいてユーザ／ＳＴＡｓにダイバーシティを与えるために、各ＳＴＡについて（および各それぞれのＳＴＡ内の各アンテナに）アンテナごとおよび／またはストリームごとのＣＳＤをどのように適用すべきかを決定する必要がある。
【００３１】
[0037]図３は、アップリンクマルチユーザＭＩＭＯのための異なるＬＴＦ設計の図３００、３３０、３６０を示す。図３００は、５つのトーンインターリーブＬＴＦｓ（たとえば、ＨＥ−ＬＴＦ）を示している。各ＬＴＦシンボルはトーンのセットを有する。図３００では、各々がそれぞれのインジケータ（たとえば、四角、丸、三角、×）によって示された４つのストリームがある。あらゆるストリームがＬＴＦｓの終わりまでにあらゆるトーンを訪れ（visits）（またはあらゆるトーン上で送信され）、これは、ＬＴＦごとの位相追跡を可能にする。別の設計では、ｐ行列ベースのＬＴＦが４ｘシンボル持続時間とともに使用され得る。図３３０は、４ｘシンボル持続時間をもつ遅延ベースのＬＴＦ（たとえば、ＨＥ−ＬＴＦ）を示している。図３３０に示されているように、各々が１つのストリームを有する４つのユーザがあると仮定すると、各それぞれのユーザのためのストリームは、３．２μｓ  ＣＰをもつ１６μｓシンボル持続時間を有し得るＯＦＤＭシンボル中で［０，３．２，６．４，９．６］μｓ遅延だけオフセットされる。また別の設計では、図３６０は、４ｘシンボル持続時間をもつ遅延ベースのＬＴＦ（たとえば、ＨＥ−ＬＴＦ）を示している。図３６０に示されているように、各々が１つのストリームを有する２つのユーザがあると仮定すると、各それぞれのユーザのためのストリームは、３．２μｓ  ＣＰをもつ１６μｓシンボル持続時間を有するＯＦＤＭシンボル中で［０，６．４］μｓ遅延だけオフセットされる。
【００３２】
[0038]図４は、情報（たとえば、レガシープリアンブル２７０およびＨＥ部分２９０）を送信するためのアンテナごとおよび／またはストリームごとのＣＳＤ値を決定する局の図４００、４５０を示す。図４００は、ＡＰ（たとえば、ＡＰ２０２）に関連付けられた／ＡＰ（たとえば、ＡＰ２０２）によってサービスされる（ＳＴＡｓ２０８、２１０、２１２に対応し得る）３つのＳＴＡｓ４１０、４２０、４３０を示している。ＳＴＡｓ４１０、４２０、４３０の各々は４つのアンテナを有し得る。たとえば、ＳＴＡ４１０は、アンテナ４１２、４１４、４１６、４１８を有し得る。ＳＴＡ４２０は、アンテナ４２２、４２４、４２６、４２８を有し得る。ＳＴＡ４３０は、アンテナ４３２、４３４、４３６、４３８を有し得る。同様に、図４５０は、ＡＰ（たとえば、ＡＰ２０２）に関連付けられた（ＳＴＡｓ２１０、２１２に対応し得る）２つのＳＴＡｓ４６０、４７０を示している。ＳＴＡｓ４６０、４７０の各々は２つのアンテナを有する。たとえば、ＳＴＡ４６０はアンテナ４６２、４６４を有する。ＳＴＡ４７０はアンテナ４７２、４７４を有する。図４００を参照すると、アップリンク送信中に、たとえば、ＳＴＡｓ４１０、４２０、４３０のためのアンテナは、ＡＰ（たとえば、ＡＰ２０２）に情報を送信し得、その情報は、レガシープリアンブル２７０と、ＨＥプリアンブル２８０と、データシンボル２９８とを含み得る。しかしながら、前に説明されたように、ＳＴＡ４１０は、たとえば、ＳＴＡｓ４２０、４３０からのいくつの送信アンテナがアップリンク送信に参加しているかを知らないことがある。前に述べた他の問題の中でも、偶発的ビームフォーミングを回避するために、レガシープリアンブル２７０、ＨＥプリアンブル２８０、および／またはデータシンボル２９８を送信するためにＣＳＤが使用され得る。
【００３３】
[0039]レガシープリアンブルのためのサイクリックシフトは２００ｎｓに限定されるので、ＨＥプリアンブルおよびデータシンボルと比較して、レガシープリアンブルに関して異なるＣＳＤオプションが適用され得る。したがって、下記の説明では、レガシープリアンブルのためのＣＳＤオプションと、非レガシープリアンブルおよびデータシンボルのためのＣＳＤオプションとを提示する。
【００３４】
[0040]レガシープリアンブルのためのＣＳＤオプション
【００３５】
[0041]レガシープリアンブルに関して、２つのアンテナごとのＣＳＤオプションが使用され得る。
【００３６】
[0042]アンテナごとのＣＳＤオプション１
【００３７】
[0043]アンテナごとのＣＳＤオプション１では、アップリンク送信は、各ＳＴＡにユーザＣＳＤオフセットを割り当てることによってオフセットされ得る。図４００を参照すると、ＳＴＡｓ４１０、４２０、４３０のための４つのアンテナの各々は、ＡＰ（たとえば、ＡＰ２０２）に送信すべき情報を有し得、その情報は、たとえば、レガシープリアンブル２７０を含み得る。ＳＴＡｓ４１０、４２０、４３０は、アンテナ構成に基づいて（たとえば、アンテナの数に基づいて）ＳＴＡｓの各々内で事前構成され得る、アンテナごとのＣＳＤ値の初期セットを有し得る。たとえば、ＳＴＡ４１０は、ＣＳＤ値の初期セット［０  −５０  −１００  −１５０］ｎｓを、それぞれ４つのアンテナ４１２、４１４、４１６、４１８の各々に適用し得る。他のＳＴＡｓ４２０、４３０の各々は、４つのそれぞれのアンテナの各々のためにＣＳＤ値の同じ初期セット［０  −５０  −１００  −１５０］ｎｓを使用し得る。異なるユーザからの同じ遅延を有することを回避するために、各ＳＴＡについて異なるＣＳＤオフセットが適用され得る。一構成では、ＳＴＡｓ４１０、４２０、４３０は、トリガメッセージ（たとえば、トリガメッセージ２１６）を介して、それぞれ０ｎｓ、−２５ｎｓ、および−５０ｎｓのユーザＣＳＤオフセットを受信し得る。ＳＴＡ４１０は、ユーザＣＳＤオフセットに基づいて、ＣＳＤ値の初期セット［０  −５０  −１００  −１５０］ｎｓを変更し得る。一態様では、ＳＴＡ４１０は、０ｎｓユーザＣＳＤオフセットに基づいて、アンテナ４１２、４１４、４１６、４１８のためのＣＳＤ値の初期セット［０  −５０  −１００  −１５０］を変更し、ＣＳＤ値の同じセットを有し得る。ＳＴＡ４２０は、−２５ｎｓユーザＣＳＤオフセットに基づいてＣＳＤ値の初期セットを変更し、アンテナ４２２、４２４、４２６、４２８のためのＣＳＤ値のセット［−２５  −７５  −１２５  −１７５］ｎｓを有し得る。ＳＴＡ４３０は、−５０ｎｓユーザＣＳＤオフセットに基づいてＣＳＤ値の初期セットを変更し、アンテナ４３２、４３４、４３６、４３８のためのＣＳＤ値のセット［−５０  −１００  −１５０  −２００］ｎｓを有する。一態様では、ＣＳＤ値の初期セット［０  −５０  −１００  −１５０］は、アンテナ構成に基づいて、ＳＴＡｓ４１０、４２０、４３０の各々に事前構成され得る。一態様では、ユーザＣＳＤオフセットは、ＡＰ２０２からシグナリングをスケジュールする際に示され得るユーザインデックスに基づいて、ＳＴＡｓ４１０、４２０、４３０によって決定され得る。たとえば、ＡＰ２０２が、ＳＴＡ４１０へのシグナリングをスケジュールする際に０のユーザインデックスを送信するとき、０のユーザインデックスは、０ｎｓのユーザＣＳＤ値に対応し得る。１のユーザインデックスは、−２５ｎｓのユーザＣＳＤ値に対応し得る、などである。一態様では、ＳＴＡ４１０は、どのユーザインデックスがどのＣＳＤ値に対応するかを示すテーブルを有し得、ＳＴＡ４１０は、そのテーブルに基づいて、ユーザインデックスを受信すると、どのＣＳＤ値を使用すべきかを決定し得る。別の態様では、ユーザＣＳＤ値は、ＡＰ２０２からのトリガメッセージ２１６中で送信され得る。ユーザごとのＣＳＤオフセットに基づいてＣＳＤ遅延に時間ダイバーシティを追加することによって、アップリンク送信についての偶発的ビームフォーミングの可能性が低減され得る。この例は４つのアンテナを示しているが、より多いまたはより少ないアンテナが使用され得、ＣＳＤ値の異なる初期セットも使用され得る。
【００３８】
[0044]一態様では、ＳＴＡｓ４１０、４２０、４３０の各々のためのユーザごとのＣＳＤオフセット／値は０であり得る。この態様では、ＳＴＡｓ４１０、４２０、４３０の各々は、同じアンテナごとのＣＳＤ（たとえば、すべてのＳＴＡｓについて送信アンテナの数が４である場合、［０  −５０  −１００  −１５０］ｎｓ）を適用し得る。異なるユーザは異なる送信電力を使用して送信し得るので、いくつかの事例では、ユーザの間で同じ遅延を有することは、特にサービスエリアが３つ以上のユーザを有するとき、ビームフォーミング（または過度のビームフォーミング）を生じないことがある。より多数のＳＴＡｓ／ユーザでは、異なるＳＴＡｓの間での送信の、異なる到着間（inter-arrival）時間による線形シフトがあり得、これは、偶発的ビームフォーミングの確率が低減され得るように、ＳＴＡ／ユーザ送信をオフセットし得る。
【００３９】
[0045]アンテナごとのＣＳＤオプション２
【００４０】
[0046]アンテナごとのＣＳＤオプション２では、アップリンク送信は、各ＳＴＡに割り振られた時空間ストリームの数に従って、ＳＴＡｓの各々に１つまたは複数のＣＳＤ値を割り当てる／割り振ることによってオフセットされ得る。たとえば、図４中の図４５０を参照すると、ＳＴＡｓ４６０、４７０はＡＰ２０２によってサービスされており、ＡＰ２０２は、ＳＴＡｓ４６０、４７０をサポートする４つのアンテナを有すると仮定する。ＳＴＡｓ４６０、４７０の各々は２つのアンテナを有する。この例では、ＳＴＡ４６０は、ＳＴＡ４６０に関連付けられたレガシープリアンブル２７０を送信するための２つのストリームを割り当てられ得、ＳＴＡ４７０は、ＳＴＡ４７０に関連付けられたレガシープリアンブル２７０を送信するための１つのストリームを割り当てられ得る。ＳＴＡ４６０は、０ｎｓおよび−５０ｎｓであり得る、ＣＳＤ値の初期セットからの２つのＣＳＤ値を割り当てられ得る。ＳＴＡ４６０は、これらのＣＳＤ値を、それぞれアンテナ４６２、４６４に適用し得る。マルチユーザＭＩＭＯストリームの第３のストリームに対応する１つの時空間ストリーム（Ｎsts＝１）を有し得るＳＴＡ４７０は、−１００ｎｓであり得る、ＣＳＤ値の初期セットからの第３のＣＳＤ値を割り当てられ得る。ＳＴＡ４７０は２つのアンテナ４７２、４７４を有するので、ＳＴＡ４７０は、ＳＴＡ４７０のためのアンテナ４７２、４７４の両方に対する−１００ｎｓに対応する空間マッピング行列［１；１］を介して、−１００ｎｓ  ＣＳＤ値を２つのアンテナ４７２、４７４にマッピングし得る。この態様では、空間ストリームの数が所与のＳＴＡ／ユーザのためのアンテナの数よりも小さいとき、アンテナは同じＣＳＤ値を有し得る。さらに、このオプションでは、割り当てられた／割り振られたＣＳＤ値は、部分的に、各ＳＴＡがＣＳＤ値を割り振られる順序によって決定され得る。たとえば、ＳＴＡ４６０が最初にＣＳＤ値を割り当てられ、ＳＴＡ４７０が２番目にＣＳＤ値を割り当てられる場合、ＳＴＡ４６０は、０ｎｓおよび−５０ｎｓのＣＳＤ値を割り当てられ得、ＳＴＡ４７０は、ＣＳＤ値−１００ｎｓを割り当てられ得る。対照的に、ＳＴＡ４７０が最初にＣＳＤ値を割り当てられ、ＳＴＡ４６０が２番目にＣＳＤ値を割り当てられる場合、ＳＴＡ４７０はＣＳＤ値０ｎｓを割り当てられ得、ＳＴＡ４６０は、−５０ｎｓおよび−１００ｎｓのＣＳＤ値を割り当てられ得る。このオプションでは、ＳＴＡｓ４６０、４７０の各々は、ＡＰ２０２からの受信された空間ストリーム割振り情報から、割り当てられたＣＳＤ値を導出し得る。受信された空間ストリーム割振り情報は、たとえば、トリガメッセージ２１６中で、またはＡＰ２０２からの別のメッセージ／パケット中で受信され得る。この例は、４つのアンテナをもつＡＰと２つのアンテナをもつＳＴＡｓとを使用しているが、他の構成が使用され得る。
【００４１】
[0047]非レガシー情報のためのＣＳＤオプション
【００４２】
[0048]非レガシー情報（たとえば、ＨＥプリアンブル２８０およびデータシンボル２９８）では、アンテナごとおよびストリームごとのＣＳＤオプションが利用可能である。
【００４３】
[0049]ストリームごとのＣＳＤ
【００４４】
[0050]ＨＥプリアンブル２８０とデータシンボル２９８とを含み得る非レガシー情報は、ストリームごとのＣＳＤをもつ空間ストリーム中で送信され得る。たとえば、図４の図４５０参照すると、ＳＴＡ４６０は、ＨＥプリアンブル２８０を送信するための２つの空間ストリーム、すなわち、ストリームＡおよびストリームＢを決定／識別し得る。ＳＴＡ４６０は、ストリームＡおよびストリームＢの各々のためのストリームごとのＣＳＤ値を決定し得る。たとえば、ストリームＡは、０ｎｓ  ＣＳＤ値を与えられ得、ストリームＢは、−４００ｎｓ  ＣＳＤ値を与えられ得る。したがって、ストリームＡは、時間０において送信され得、ストリームＢは、ストリームＡと比較して４００ｎｓサイクリック遅延を伴って送信され得る。ストリームごとのＣＳＤは、たとえば、Ｐ行列ベースのＬＴＦｓならびに図３００、３３０、および３６０に関して説明されたものなど、ＨＥ−ＬＴＦｓに関して使用され得る。しかしながら、ユーザを分離するために（ＣＰ長さの倍数に等しい）遅延を使用する、図３３０中の遅延ベースのＬＴＦでは、ストリームごとのＣＳＤをさらに適用することは、ユーザが少なくともＣＰ長さの２倍（２ｘ）の遅延だけ分離されない限り、異なるユーザチャネルを互いに衝突させることがある。したがって、４ｘシンボル持続時間をもつシンボルでは、図３６０に示されたＬＴＦ設計が、図３３０に示されたＬＴＦ設計よりも好ましいことがある。
【００４５】
[0051]ストリームごとのＣＳＤに加えて、アンテナごとのＣＳＤが、ＨＥプリアンブル２８０中のシンボルおよびデータシンボル２９８に適用され得る。
【００４６】
[0052]アンテナごとのＣＳＤオプション１
【００４７】
[0053]アンテナごとのＣＳＤオプション１では、アップリンク送信は、各ＳＴＡにユーザＣＳＤオフセットを割り当てることによってオフセットされ得る。図４００を参照すると、ＳＴＡｓ４１０、４２０、４３０のための４つのアンテナの各々は、ＡＰに送信すべき情報を有し得、その情報は、たとえば、ＨＥプリアンブル２８０および／またはデータシンボル２９８を含み得る。ＳＴＡｓ４１０、４２０、４３０は、アンテナ構成に基づいて（たとえば、アンテナの数に基づいて）ＳＴＡｓの各々内で事前構成され得る、アンテナごとのＣＳＤ値の初期セットを有し得る。たとえば、ＳＴＡ４１０は、ＣＳＤ値の初期セット［０  −４００  −２００  −６００］ｎｓを、それぞれ４つのアンテナ４１２、４１４、４１６、４１８の各々に適用し得る。他のＳＴＡｓ４２０、４３０の各々は、４つのそれぞれのアンテナの各々のためにＣＳＤ値の同じ初期セット［０  −４００  −２００  −６００］ｎｓを使用し得る。異なるアンテナからの同じ遅延を有することを回避するために、各ＳＴＡについて異なるＣＳＤオフセットが適用され得る。一構成では、ＳＴＡｓ４１０、４２０、４３０は、トリガメッセージ（たとえば、トリガメッセージ２１６）を介して、それぞれ０ｎｓ、−５０ｎｓ、および−１００ｎｓのユーザＣＳＤオフセットを受信し得る。ＳＴＡ４１０は、ユーザＣＳＤオフセットに基づいて、ＣＳＤ値の初期セット［０  −４００  −２００  −６００］ｎｓを変更し得る。一態様では、ＳＴＡ４１０は、０ｎｓユーザＣＳＤオフセットに基づいて、アンテナ４１２、４１４、４１６、４１８のためのＣＳＤ値の初期セット［０  −４００  −２００  −６００］を変更し、ＣＳＤ値の同じセットを有し得る。ＳＴＡ４２０は、−５０ｎｓユーザＣＳＤオフセットに基づいてＣＳＤ値の初期セットを変更し、アンテナ４２２、４２４、４２６、４２８のためのＣＳＤ値のセット［−５０  −４５０  −２５０  −６５０］ｎｓを有し得る。ＳＴＡ４３０は、−１００ｎｓユーザＣＳＤオフセットに基づいてＣＳＤ値の初期セットを変更し、アンテナ４３２、４３４、４３６、４３８のためのＣＳＤ値のセット［−１００  −５００  −３００  −７００］ｎｓを有する。一態様では、ＣＳＤ値の初期セット［０  −４００  −２００  −６００］は、アンテナ構成に基づいて、ＳＴＡｓ４１０、４２０、４３０の各々に事前構成され得る。一態様では、ユーザＣＳＤオフセットは、ＡＰ２０２からシグナリングをスケジュールする際に示され得るユーザインデックスに基づいて、ＳＴＡｓ４１０、４２０、４３０によって決定され得る。たとえば、ＡＰ２０２が、ＳＴＡ４１０へのシグナリングをスケジュールする際に０のユーザインデックスを送信するとき、０のユーザインデックスは、０のユーザＣＳＤ値に対応し得る。１のユーザインデックスは、−５０ｎｓのユーザＣＳＤ値に対応し得る、などである。別の態様では、ユーザＣＳＤ値は、ＡＰ２０２からのトリガメッセージ２１６中で送信され得る。ユーザごとのＣＳＤオフセットに基づいてＣＳＤ遅延に時間ダイバーシティを追加することによって、アップリンク送信についての偶発的ビームフォーミングの可能性が低減され得る。この例は４つのアンテナを示しているが、より多いまたはより少ないアンテナが使用され得、ＣＳＤ値の異なる初期セットも使用され得る。
【００４８】
[0054]一態様では、ＳＴＡｓ４１０、４２０、４３０の各々のためのユーザごとのＣＳＤオフセット／値は０であり得る。この態様では、ＳＴＡｓ４１０、４２０、４３０の各々は、同じアンテナごとのＣＳＤ（たとえば、すべてのＳＴＡｓについて送信アンテナの数が４である場合、［０  −４００  −２００  −６００］ｎｓ）を適用し得る。異なるユーザは異なる送信電力を使用して送信し得るので、いくつかの事例では、ユーザの間で同じ遅延を有することは、特にサービスエリアが３つ以上のユーザを有するとき、ビームフォーミング（または過度のビームフォーミング）を生じないことがある。より多数のＳＴＡｓ／ユーザでは、異なるＳＴＡｓの間での送信の異なる到着間時間による線形シフトがあり得、これは、偶発的ビームフォーミングの確率が低減され得るように、ＳＴＡ／ユーザ送信をオフセットし得る。
【００４９】
[0055]アンテナごとのＣＳＤオプション２
【００５０】
[0056]アンテナごとのＣＳＤオプション２では、アップリンク送信は、各ＳＴＡに割り振られた時空間ストリームの数に従って、ＳＴＡｓの各々に１つまたは複数のＣＳＤ値を割り当てる／割り振ることによってオフセットされ得る。たとえば、図４中の図４５０を参照すると、ＳＴＡｓ４６０、４７０はＡＰ２０２によってサービスされており、ＡＰ２０２は、ＳＴＡｓ４６０、４７０をサポートする４つのアンテナを有すると仮定する。ＳＴＡｓ４６０、４７０の各々は２つのアンテナを有する。この例では、ＳＴＡ４６０は、ＨＥプリアンブル２８０および／またはデータシンボル２９８を送信するための２つのストリームを割り当てられ得、ＳＴＡ４７０は、ＨＥプリアンブル２８０および／またはデータシンボル２９８を送信するための１つのストリームを割り当てられ得る。ＳＴＡ４６０は、０ｎｓおよび−４００ｎｓであり得る、ＣＳＤ値の初期セットからの２つのＣＳＤ値を割り当てられ得る。ＳＴＡ４６０は、これらのＣＳＤ値を、それぞれアンテナ４６２、４６４に適用し得る。マルチユーザＭＩＭＯストリームの第３のストリームに対応する１つの時空間ストリーム（Ｎsts＝１）を有し得るＳＴＡ４７０は、−２００ｎｓであり得る、ＣＳＤ値の初期セットからの第３のＣＳＤ値を割り当てられ得る。ＳＴＡ４７０は２つのアンテナ４７２、４７４を有するので、ＳＴＡ４７０は、ＳＴＡ４７０のためのアンテナ４７２、４７４の両方に対する−２００ｎｓに対応する空間マッピング行列［１；１］を介して、−２００ｎｓ  ＣＳＤ値を２つのアンテナ４７２、４７４にマッピングし得る。この態様では、空間ストリームの数が所与のＳＴＡ／ユーザのためのアンテナの数よりも小さいとき、アンテナは同じＣＳＤ値を有し得る。さらに、このオプションでは、割り当てられた／割り振られたＣＳＤ値は、部分的に、各ＳＴＡがＣＳＤ値を割り振られる順序によって決定され得る。このオプションでは、ＳＴＡｓ４６０、４７０の各々は、ＡＰ２０２からの受信された空間ストリーム割振り情報から、割り当てられたＣＳＤ値を導出し得る。受信された空間ストリーム割振り情報は、たとえば、トリガメッセージ２１６中で、またはＡＰ２０２からの別のメッセージ／パケット中で受信され得る。この例は、４つのアンテナをもつＡＰと２つのアンテナをもつＳＴＡｓとを使用しているが、他の構成が使用され得る。
【００５１】
[0057]態様としてでは、非レガシー情報は、４ｘシンボル持続時間（たとえば、１６μｓ）をもつシンボル中で送信され得るが、レガシー情報は、１ｘシンボル持続時間（たとえば、４μｓ）をもつシンボル中で送信され得る。したがって、４ｘシンボル持続時間をもつ非レガシー情報のためのストリームごとのＣＳＤ値またはアンテナごとのＣＳＤ値は、１ｘシンボル持続時間をもつ非レガシー情報のためのＣＳＤ値よりも４倍大きいことがある。たとえば、４ｘ持続時間をもつ非レガシー情報のためのＣＳＤ値は１．６μｓであり得、１ｘ持続時間をもつ非レガシー情報のためのＣＳＤ値は０．４μｓであり得る。ＣＳＤ値を決定するための基準は、どのＣＳＤ値が、ＡＤＣにおいて量子化および飽和を最小限に抑えるかと、どのＣＳＤ値が、測定されたＳＴＦ電力とデータ電力との間の差を最小限に抑えるかとに依存し得る。各マルチストリーム送信事例について、加法性白色ガウス雑音（additional white Gaussian noise）（たとえば、ランダム位相をもつフラットフェージング）、チャネルモデルＤ見通し外（channel model D non-line-of-sight）（Ｄ−ＮＬＯＳ）、およびアーバンマイクロ（ＵＭｉ）ＮＬＯＳにわたって最もうまく動作するＣＳＤ組合せが選好され得る。
【００５２】
[0058]図５は、アンテナごとおよび／またはストリームごとのＣＳＤ値を使用して情報を送信するための、図１のワイヤレス通信システム１００内で採用され得るワイヤレスデバイス５０２の機能ブロック図である。ワイヤレスデバイス５０２は、本明細書で説明される様々な方法をインプリメントするように構成され得るデバイスの一例である。たとえば、ワイヤレスデバイス５０２は、ＳＴＡｓ１１２、１１４、１１６、１１８であり得る。
【００５３】
[0059]ワイヤレスデバイス５０２は、ワイヤレスデバイス５０２の動作を制御するプロセッサ５０４を含み得る。プロセッサ５０４は中央処理ユニット（ＣＰＵ）と呼ばれることもある。読取り専用メモリ（ＲＯＭ）とランダムアクセスメモリ（ＲＡＭ）の両方を含み得るメモリ５０６は、命令とデータとをプロセッサ５０４に与え得る。メモリ５０６の一部は不揮発性ランダムアクセスメモリ（ＮＶＲＡＭ）をも含み得る。プロセッサ５０４は、一般に、メモリ５０６内に記憶されたプログラム命令に基づいて論理演算と算術演算とを実行する。メモリ５０６中の命令は、本明細書で説明される方法をインプリメントするために（たとえば、プロセッサ５０４によって）実行可能であり得る。
【００５４】
[0060]プロセッサ５０４は、１つまたは複数のプロセッサを用いてインプリメントされた処理システムを備えるか、またはそれのコンポーネントであり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェアコンポーネント、専用ハードウェア有限状態機械、あるいは情報の計算または他の操作を実行することができる任意の他の好適なエンティティの任意の組合せを用いてインプリメントされ得る。
【００５５】
[0061]処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されるとき、本明細書で説明される様々な機能を処理システムに実行させる。
【００５６】
[0062]ワイヤレスデバイス５０２はハウジング５０８をも含み得、ワイヤレスデバイス５０２は、ワイヤレスデバイス５０２とリモートデバイスとの間のデータの送信および受信を可能にするために、送信機５１０および／または受信機５１２を含み得る。送信機５１０と受信機５１２とは組み合わせられてトランシーバ５１４になり得る。アンテナ５１６は、ハウジング５０８に取り付けられ、トランシーバ５１４に電気的に結合され得る。ワイヤレスデバイス５０２は、複数の送信機、複数の受信機、複数のトランシーバ、および／または複数のアンテナをも含み得る。
【００５７】
[0063]ワイヤレスデバイス５０２は、トランシーバ５１４または受信機５１２によって受信された信号のレベルを検出および定量化するために使用され得る信号検出器５１８をも含み得る。信号検出器５１８は、そのような信号を、総エネルギー、シンボルごとのサブキャリア当たりのエネルギー、電力スペクトル密度、および他の信号として検出し得る。ワイヤレスデバイス５０２は、信号を処理する際に使用するためのデジタル信号プロセッサ（ＤＳＰ）５２０をも含み得る。ＤＳＰ５２０は、送信のためのパケットを生成するように構成され得る。いくつかの態様では、パケットは、物理レイヤコンバージェンスプロシージャ（ＰＬＣＰ）プロトコルデータユニット（ＰＰＤＵ）を備え得る。
【００５８】
[0064]ワイヤレスデバイス５０２は、いくつかの態様ではユーザインターフェース５２２をさらに備え得る。ユーザインターフェース５２２は、キーパッド、マイクロフォン、スピーカー、および／またはディスプレイを備え得る。ユーザインターフェース５２２は、ワイヤレスデバイス５０２のユーザに情報を搬送し、および／またはそのユーザから入力を受信する、任意の要素またはコンポーネントを含み得る。
【００５９】
[0065]ワイヤレスデバイス５０２がＳＴＡ（たとえば、ＳＴＡ１１４、ＳＴＡ２０６）としてインプリメントされるとき、ワイヤレスデバイス５０２はＣＳＤコンポーネント３２４をも備え得る。ＣＳＤコンポーネント３２４は、複数のアンテナ上で情報の第１のセットを送信するためのＣＳＤ値の第１のセットを決定するように構成され得る。ＣＳＤコンポーネント３２４は、複数のアンテナ上で情報の第２のセットを送信するためのＣＳＤ値の第２のセットを決定するように構成され得る。ＣＳＤコンポーネント３２４は、ＣＳＤ値の第１のセットおよび第２のセットに基づいて、情報の第１のセットおよび第２のセットを送信するように構成され得る。一構成では、ＣＳＤコンポーネント３２４は、複数のアンテナの各アンテナのためのアンテナＣＳＤ値を決定することによって、ユーザＣＳＤオフセットを決定することによって、および、決定されたユーザＣＳＤオフセットに基づいて、複数のアンテナの各アンテナのためのアンテナＣＳＤ値を変更することによって、ＣＳＤ値の第１のセットを決定し得る。一構成では、ＣＳＤコンポーネント３２４は、少なくとも１つの割り当てられたＣＳＤ値を決定することと、決定された少なくとも１つの割り当てられたアンテナＣＳＤ値に基づいて、複数のアンテナの各アンテナのためのアンテナＣＳＤ値を決定することとによって、ＣＳＤ値の第１のセットを決定し得る。別の構成では、ＣＳＤコンポーネント３２４は、複数のアンテナ上で情報の第２のセットを送信するためのＣＳＤ値の第３のセットを決定し、ＣＳＤ値の第２のセットと第３のセットとに基づいて、情報の第２のセットを送信するようにさらに構成され得る。別の構成では、ＣＳＤコンポーネント３２４は、複数のアンテナの各アンテナのためのアンテナＣＳＤ値を決定することによって、ユーザＣＳＤオフセットを決定することによって、および、決定されたユーザＣＳＤオフセットに基づいて、複数のアンテナの各アンテナのためのアンテナＣＳＤ値を変更することによって、ＣＳＤ値の第３のセットを決定するように構成され得る。別の構成では、ＣＳＤコンポーネント３２４は、少なくとも１つの割り当てられたＣＳＤ値を決定し、決定された少なくとも１つの割り当てられたＣＳＤ値に基づいて、複数のアンテナの各アンテナのためのアンテナＣＳＤ値を決定するように構成され得る。別の構成では、ストリームＣＳＤ値は、１ｘ持続時間をもつシンボルのＣＳＤ値よりも４倍大きいことがある。別の構成では、アンテナＣＳＤ値は、１ｘ持続時間をもつシンボルのＣＳＤ値よりも４倍大きいことがある。
【００６０】
[0066]ワイヤレスデバイス５０２の様々なコンポーネントは、バスシステム５２６によって互いに結合され得る。バスシステム５２６は、たとえば、データバス、ならびに、データバスに加えて、電力バス、制御信号バス、およびステータス信号バスを含み得る。ワイヤレスデバイス５０２のコンポーネントは、何らかの他の機構を使用して、互いに結合されるか、あるいは互いに入力を受け付けるかまたは互いに入力を与え得る。
【００６１】
[0067]いくつかの別個のコンポーネントが図５に示されているが、それらのコンポーネントのうちの１つまたは複数は、組み合わせられるかまたは共通にインプリメントされ得る。たとえば、プロセッサ５０４は、プロセッサ５０４に関して上記で説明された機能をインプリメントするためだけでなく、信号検出器５１８、ＤＳＰ５２０、ユーザインターフェース５２２、および／またはＣＳＤコンポーネント５２４に関して上記で説明された機能をインプリメントするためにも使用され得る。さらに、図５に示されたコンポーネントの各々は、複数の別個の要素を使用してインプリメントされ得る。
【００６２】
[0068]図６は、アンテナごとおよび／またはストリームごとのＣＳＤ値を使用して情報を送信するためのワイヤレス通信の例示的な方法６００のフローチャートである。方法６００は、装置（たとえば、ＳＴＡ１１４、ＳＴＡ２１２、または、たとえば、ワイヤレスデバイス３０２）を使用して実行され得る。方法６００は図５のワイヤレスデバイス５０２の要素に関して以下で説明されるが、本明細書で説明されるステップのうちの１つまたは複数をインプリメントするために他のコンポーネントが使用され得る。図６において、点線で示されたブロックは随意の動作を表す。
【００６３】
[0069]ブロック６０５において、本装置は、複数のアンテナ上で情報の第１のセットを送信するためのＣＳＤ値の第１のセットを決定する。たとえば、図２および図４を参照すると、本装置はＳＴＡ４１０であり得、情報の第１のセットはレガシープリアンブル２７０であり得る。一態様では、ＳＴＡ４１０は、送信のためのレガシープリアンブル２７０を有し得る。ＳＴＡ４１０は、トリガメッセージ２１６中でＡＰ２０２からユーザＣＳＤオフセットを受信し得る。ＳＴＡ４１０は、４つのアンテナ４１２、４１４、４１６、４１８の各々のためのＣＳＤ値の初期セット［０  −５０  −１００  −１５０］ｎｓを決定し得る。ＣＳＤ値の初期セットは、ＳＴＡ４１０において事前構成され得る。トリガメッセージ２１６に基づいて、ＳＴＡ４１０は、（たとえば、１に設定されたユーザインデックスに基づいて）−２５ｎｓのユーザＣＳＤオフセットを決定し得る。ＳＴＡ４１０は、アンテナＣＳＤ値のセット［−２５  −７５  −１２５  −１７５］ｎｓを決定するために、ＣＳＤ値の初期セットを変更し得る。別の例では、本装置はＳＴＡ４６０であり得る。ＳＴＡ４６０は、送信のためのレガシープリアンブル２７０（情報の第１のセット）を有し得る。この例では、ＳＴＡ４６０は、２つの割り当てられた値［０  −５０］ｎｓを受信し、アンテナ４６２が０ｎｓのＣＳＤ値を有し、アンテナ４６４が−５０ｎｓのＣＳＤ値を有すると決定し得る。
【００６４】
[0070]ブロック６１０において、本装置は、複数のアンテナ上で情報の第２のセットを送信するためのＣＳＤ値の第２のセットを決定し得る。たとえば、図２および図４を参照すると、本装置はＳＴＡ４６０であり得、情報の第２のセットはＨＥプリアンブル２８０であり得る。一例では、ＳＴＡ４６０は、送信のためのＨＥプリアンブル２８０（たとえば、ＨＥ−ＬＴＦシンボル２９６）を有し得る。ＨＥプリアンブル２８０は、２つのストリーム、すなわちストリームＡおよびストリームＢ中で送信され得る。ＳＴＡ４６０は、ＨＥプリアンブル２８０を送信するためのストリームの数（たとえば、２つのストリーム）を識別することによって、および、ストリーム、すなわちストリームＡおよびＢの各々のためのストリームごとのＣＳＤ値をそれぞれ決定することによって、ストリームごとのＣＳＤを適用し得る。ストリームＡは、０ｎｓのストリームＣＳＤ値を有し得、ストリームＢは、−４００ｎｓのストリームＣＳＤ値を有し得る。別の例では、ＳＴＡ４６０はアンテナごとのＣＳＤを適用し得る。
【００６５】
[0071]ブロック６１５において、本装置は、複数のアンテナ上で情報の第２のセットを送信するためのＣＳＤ値の第３のセットを決定し得る。たとえば、図２および図４を参照すると、本装置はＳＴＡ４６０であり得、情報の第２のセットはＨＥプリアンブル２８０であり得る。一態様では、ＳＴＡ４６０は、ＨＥプリアンブル２８０を送信するためのアンテナごとのＣＳＤを適用し得る。この例では、ＳＴＡ４６０は、ＡＰ２０２からトリガメッセージ２１６を受信し得、トリガメッセージ２１６は、−５０ｎｓのユーザＣＳＤオフセットを示し得る。トリガメッセージ２１６に基づいて、ＳＴＡ４６０は、−５０ｎｓのユーザＣＳＤオフセットを決定し得る。ＳＴＡ４１０は、ＨＥプリアンブル２８０を送信するためのアンテナＣＳＤ値のセット［−５０  −４５０］ｎｓを決定するために、ブロック６１０に基づいて［０  −４００］であり得る、ＣＳＤ値のセットを変更し得る。別の態様では、ＣＳＤ値の第２のセットはアンテナごとのＣＳＤであり得、ＣＳＤ値の第３のセットはストリームごとのＣＳＤであり得る。
【００６６】
[0072]ブロック６２０において、本装置は、ＣＳＤ値の第１のセットに基づいて情報の第１のセットを送信し、ＣＳＤ値の第２のセットに基づいて情報の第２のセットを送信し得る。一構成では、本装置は、ＣＳＤ値の第２のセットと第３のセットとに基づいて情報の第２のセットを送信し得る。たとえば、図２および図４を参照すると、ＳＴＡ４６０は、アンテナごとのＣＳＤ値のセット［０  −５０］ｎｓに基づいてレガシープリアンブル２７０を送信し、ＳＴＡ４６０のための、ストリームごとのＣＳＤ値のセット［０  −４００］ｎｓと、−５０ｎｓのアンテナごとのＣＳＤ値とに基づいて決定された、ＣＳＤ値［−５０  −４５０］ｎｓに基づいてＨＥプリアンブル２８０を送信し得る。
【００６７】
[0073]図７は、アンテナごとおよび／またはストリームごとのＣＳＤ値を使用して情報を送信するための例示的なワイヤレス通信デバイス７００の機能ブロック図である。ワイヤレス通信デバイス７００は、受信機７０５と、処理システム７１０と、送信機７１５とを含み得る。処理システム７１０は、ＣＳＤコンポーネント７２４および／またはフレーム生成コンポーネント７２６を含み得る。一態様では、フレーム生成コンポーネント７２６は、送信されるべきフレームを生成するように構成され得る。フレーム生成コンポーネント７２６は、送信されるべきフレームに関連付けられたレガシープリアンブルとＨＥプリアンブルとデータとを生成し得る。フレーム生成コンポーネント７２６は、送信されるべきフレームをＣＳＤコンポーネント７２４に与え得る。１．処理システム７１０および／またはＣＳＤコンポーネント７２４は、複数のアンテナ上で情報の第１のセットを送信するためのＣＳＤ値の第１のセットを決定するように構成され得る。処理システム７１０および／またはＣＳＤコンポーネント７２４は、複数のアンテナ上で情報の第２のセットを送信するためのＣＳＤ値の第２のセットを決定するように構成され得る。処理システム７１０、ＣＳＤコンポーネント７２４、および／または送信機７１５は、ＣＳＤ値の第１のセットに基づいて情報の第１のセットを送信し、ＣＳＤ値の第２のセットに基づいて情報の第２のセットを送信するように構成され得る。一構成では、処理システム７１０および／またはＣＳＤコンポーネント７２４は、複数のアンテナの各アンテナのためのアンテナＣＳＤ値を決定することによって、ユーザＣＳＤオフセットを決定することによって、および、決定されたユーザＣＳＤオフセットに基づいて、複数のアンテナの各アンテナのためのアンテナＣＳＤ値を変更することによって、ＣＳＤ値の第１のセットを決定するように構成され得る。別の構成では、処理システム７１０および／またはＣＳＤコンポーネント７２４は、少なくとも１つの割り当てられたＣＳＤ値を決定することによって、および、決定された少なくとも１つの割り当てられたアンテナＣＳＤ値に基づいて、複数のアンテナの各アンテナのためのアンテナＣＳＤ値を決定することによって、ＣＳＤ値の第１のセットを決定するように構成され得る。別の構成では、処理システム７１０および／またはＣＳＤコンポーネント７２４は、情報の第２のセットを送信するための複数のストリームを識別することによって、および複数のストリームの各ストリームのためのストリームＣＳＤ値を決定することによって、ＣＳＤ値の第２のセットを決定するように構成され得る。一態様では、４ｘ持続時間をもつシンボルのためのストリームＣＳＤ値は、１ｘ持続時間をもつ非レガシーシンボルのＣＳＤ値よりも４倍大きいことがある。別の構成では、処理システム７１０および／またはＣＳＤコンポーネント７２４は、複数のアンテナ上で情報の第２のセットを送信するためのＣＳＤ値の第３のセットを決定するように構成され得る。この構成では、情報の第２のセットは、ＣＳＤ値の第２のセットと第３のセットとに基づいて送信され得る。別の構成では、処理システム７１０および／またはＣＳＤコンポーネント７２４は、複数のアンテナの各アンテナのためのアンテナＣＳＤ値を決定することによって、ユーザＣＳＤオフセットを決定することによって、および、決定されたユーザＣＳＤオフセットに基づいて、複数のアンテナの各アンテナのためのアンテナＣＳＤ値を変更することによって、ＣＳＤ値の第３のセットを決定するように構成され得る。一態様では、４ｘ持続時間をもつシンボルのためのアンテナＣＳＤ値は、１ｘ持続時間をもつ非レガシーシンボルのＣＳＤ値よりも４倍大きいことがある。別の構成では、処理システム７１０および／またはＣＳＤコンポーネント７２４は、少なくとも１つの割り当てられたＣＳＤ値を決定することによって、および、決定された少なくとも１つの割り当てられたＣＳＤ値に基づいて、複数のアンテナの各アンテナのためのアンテナＣＳＤ値を決定することによって、ＣＳＤ値の第３のセットを決定するように構成され得る。
【００６８】
[0074]受信機７０５、処理システム７１０、ＣＳＤコンポーネント７２４、フレーム生成コンポーネント７２６、および／または送信機７１５は、図６のブロック６０５、６１０、６１５、および６２０に関して上記で説明された１つまたは複数の機能を実行するように構成され得る。受信機７０５は受信機５１２に対応し得る。処理システム７１０はプロセッサ５０４に対応し得る。送信機７１５は送信機５１０に対応し得る。ＣＳＤコンポーネント７２４は、ＣＳＤコンポーネント１２４および／またはＣＳＤコンポーネント５２４に対応し得る。
【００６９】
[0075]一構成では、ワイヤレス通信デバイス７００は、複数のアンテナ上で情報の第１のセットを送信するためのＣＳＤ値の第１のセットを決定するための手段を含み得る。ワイヤレス通信デバイス７００は、複数のアンテナ上で情報の第２のセットを送信するためのＣＳＤ値の第２のセットを決定するための手段を含み得る。ワイヤレス通信デバイス７００は、ＣＳＤ値の第１のセットに基づいて情報の第１のセットを送信し、ＣＳＤ値の第２のセットに基づいて情報の第２のセットを送信するための手段を含み得る。一構成では、ＣＳＤ値の第１のセットを決定するための手段は、複数のアンテナの各アンテナのためのアンテナＣＳＤ値を決定することと、ユーザＣＳＤオフセットを決定することと、決定されたユーザＣＳＤオフセットに基づいて、複数のアンテナの各アンテナのためのアンテナＣＳＤ値を変更することと、を行うように構成され得る。別の構成では、ＣＳＤ値の第１のセットを決定するための手段は、少なくとも１つの割り当てられたＣＳＤ値を決定することと、決定された少なくとも１つの割り当てられたアンテナＣＳＤ値に基づいて、複数のアンテナの各アンテナのためのアンテナＣＳＤ値を決定することと、を行うように構成され得る。別の構成では、ＣＳＤ値の第２のセットを決定するための手段は、情報の第２のセットを送信するための複数のストリームを識別することと、複数のストリームの各ストリームのためのストリームＣＳＤ値を決定することと、を行うように構成され得る。別の構成では、ワイヤレス通信デバイス７００は、複数のアンテナ上で情報の第２のセットを送信するためのＣＳＤ値の第３のセットを決定するための手段を含み得る。この構成では、情報の第２のセットは、ＣＳＤ値の第２のセットと第３のセットとに基づいて送信され得る。別の構成では、ＣＳＤ値の第３のセットを決定するための手段は、複数のアンテナの各アンテナのためのアンテナＣＳＤ値を決定することと、ユーザＣＳＤオフセットを決定することと、決定されたユーザＣＳＤオフセットに基づいて、複数のアンテナの各アンテナのためのアンテナＣＳＤ値を変更することと、を行うように構成され得る。別の構成では、ＣＳＤ値の第３のセットを決定するための手段は、少なくとも１つの割り当てられたＣＳＤ値を決定することと、決定された少なくとも１つの割り当てられたＣＳＤ値に基づいて、複数のアンテナの各アンテナのためのアンテナＣＳＤ値を決定することと、を行うように構成され得る。一態様では、４ｘ持続時間をもつシンボルのためのストリームＣＳＤ値は、１ｘ持続時間をもつ非レガシーシンボルのＣＳＤ値よりも４倍大きいことがある。別の態様では、４ｘ持続時間をもつシンボルのためのアンテナＣＳＤ値は、１ｘ持続時間をもつ非レガシーシンボルのＣＳＤ値よりも４倍大きいことがある。
【００７０】
[0076]たとえば、ＣＳＤ値の第１のセットを決定するための手段は、ＣＳＤコンポーネント７２４および／または処理システム７１０を備え得る。ＣＳＤ値の第２のセットを決定するための手段は、ＣＳＤコンポーネント７２４および／または処理システム７１０を備え得る。情報の第１のセットと情報の第２のセットとを送信するための手段は、ＣＳＤコンポーネント７２４、処理システム７１０、および／または送信機７１５を備え得る。ＣＳＤ値の第３のセットを決定するための手段は、ＣＳＤコンポーネント７２４および／または処理システム７１０を備え得る。
【００７１】
[0077]上記で説明された方法の様々な動作は、（１つまたは複数の）様々なハードウェアおよび／またはソフトウェアコンポーネント、回路、および／または（１つまたは複数の）モジュールなど、それらの動作を実行することが可能な任意の好適な手段によって実行され得る。概して、図に示されたどの動作も、その動作を実行することが可能な対応する機能的手段によって実行され得る。
【００７２】
[0078]本開示に関して説明された様々な例示的な論理ブロック、コンポーネント、および回路は、汎用プロセッサ、ＤＳＰ、特定用途向け集積回路（ＡＳＩＣ）、ＦＰＧＡまたは他のＰＬＤ、個別ゲートまたはトランジスタ論理、個別ハードウェアコンポーネント、あるいは本明細書で説明された機能を実行するように設計されたそれらの任意の組合せを用いてインプリメントまたは実行され得る。汎用プロセッサはマイクロプロセッサであり得るが、代替として、プロセッサは、任意の商業的に利用可能なプロセッサ、コントローラ、マイクロコントローラまたは状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としてインプリメントされ得る。
【００７３】
[0079]１つまたは複数の態様では、説明された機能は、ハードウェア、ソフトウェア、ファームウェア、またはそれらの任意の組合せでインプリメントされ得る。ソフトウェアでインプリメントされる場合、機能は、１つまたは複数の命令またはコードとして、コンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、コンパクトディスク（ＣＤ）−ＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。したがって、コンピュータ可読媒体は非一時的コンピュータ可読媒体（たとえば、有形媒体）を備える。
【００７４】
[0080]本明細書で開示された方法は、説明された方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【００７５】
[0081]したがって、いくつかの態様は、本明細書で提示された動作を実行するためのコンピュータプログラム製品を備え得る。たとえば、そのようなコンピュータプログラム製品は、命令をその上に記憶した（および／または符号化した）コンピュータ可読媒体を備え得、その命令は、本明細書で説明された動作を実行するために１つまたは複数のプロセッサによって実行可能である。いくつかの態様では、コンピュータプログラム製品はパッケージング材料を含み得る。
【００７６】
[0082]さらに、本明細書で説明された方法および技法を実行するためのコンポーネントおよび／または他の適切な手段は、ダウンロードされ、および／またはそうでなければ、適用可能な場合にユーザ端末および／または基地局によって取得され得ることを諒解されたい。たとえば、そのようなデバイスは、本明細書で説明された方法を実行するための手段の転送を可能にするためにサーバに結合され得る。代替的に、本明細書で説明された様々な方法は、ユーザ端末および／または基地局が記憶手段をデバイスに結合するかまたは与えると様々な方法を得ることができるように、記憶手段（たとえば、ＲＡＭ、ＲＯＭ、ＣＤまたはフロッピーディスクなどの物理的記憶媒体など）によって提供され得る。その上、本明細書で説明された方法および技法をデバイスに与えるための任意の他の好適な技法が利用され得る。
【００７７】
[0083]特許請求の範囲は、上記に示された厳密な構成およびコンポーネントに限定されないことを理解されたい。上記で説明された方法および装置の構成、動作および詳細において、特許請求の範囲から逸脱することなく、様々な改変、変更および変形が行われ得る。
【００７８】
[0084]上記は本開示の態様を対象とするが、本開示の他の態様およびさらなる態様は、それの基本的範囲から逸脱することなく考案され得、それの範囲は以下の特許請求の範囲によって決定される。
【００７９】
[0085]以上の説明は、当業者が本明細書で説明された様々な態様を実施することができるようにするために提供されたものである。これらの態様への様々な変更は当業者には容易に明らかであり、本明細書で定義された一般的原理は他の態様に適用され得る。したがって、特許請求の範囲は、本明細書に示された態様に限定されることを意図されるものではなく、クレーム文言に矛盾しない全範囲を与えられるべきであり、ここにおいて、単数形の要素への言及は、特にそのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明された様々な態様の要素のすべての構造的および機能的等価物は、参照により本明細書に明確に組み込まれ、特許請求の範囲に包含されることを意図されるものである。その上、本明細書で開示されたいかなることも、そのような開示が特許請求の範囲に明示的に具陳されているかどうかにかかわらず、公に供するものではない。いかなるクレーム要素も、その要素が「ための手段」というフレーズを使用して明確に具陳されていない限り、または方法クレームの場合には、その要素が「ためのステップ」というフレーズを使用して具陳されていない限り、米国特許法第１１２条（ｆ）の規定の下で解釈されるべきではない。
以下に本願発明の当初の特許請求の範囲に記載された発明を付記する。
［Ｃ１］
局のためのワイヤレス通信の方法であって、
複数のアンテナ上で情報の第１のセットを送信するためのサイクリックシフト遅延（ＣＳＤ）値の第１のセットを決定することと、
前記複数のアンテナ上で情報の第２のセットを送信するためのＣＳＤ値の第２のセットを決定することと、
ＣＳＤ値の前記第１のセットに基づいて情報の前記第１のセットを送信し、ＣＳＤ値の前記第２のセットに基づいて情報の前記第２のセットを送信することと、
を備える、方法。
［Ｃ２］
ＣＳＤ値の前記第１のセットを前記決定することが、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
を備える、Ｃ１に記載の方法。
［Ｃ３］
ＣＳＤ値の前記第１のセットを前記決定することが、
ストリームの割り当てられた数に基づいて、少なくとも１つの割り当てられたＣＳＤ値を決定することと、
前記決定された少なくとも１つの割り当てられたアンテナＣＳＤ値に基づいて、前記複数のアンテナの各アンテナのためのアンテナＣＳＤ値を決定することと、
を備える、Ｃ１に記載の方法。
［Ｃ４］
ＣＳＤ値の前記第２のセットを前記決定することが、
情報の前記第２のセットを送信するための複数のストリームを識別することと、
前記複数のストリームの各ストリームのためのストリームＣＳＤ値を決定することと、
を備える、Ｃ１に記載の方法。
［Ｃ５］
４ｘ持続時間をもつシンボルのための前記ストリームＣＳＤ値が、１ｘ持続時間をもつ非レガシーシンボルのＣＳＤ値よりも４倍大きい、Ｃ４に記載の方法。
［Ｃ６］
前記複数のアンテナ上で情報の前記第２のセットを送信するためのＣＳＤ値の第３のセットを決定することをさらに備え、
ここにおいて、情報の前記第２のセットを送信することが、ＣＳＤ値の前記第２のセットと前記第３のセットとに基づく、
Ｃ１に記載の方法。
［Ｃ７］
ＣＳＤ値の前記第３のセットを前記決定することが、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
を備える、Ｃ６に記載の方法。
［Ｃ８］
４ｘ持続時間をもつシンボルのための前記アンテナＣＳＤ値が、１ｘ持続時間をもつ非レガシーシンボルのＣＳＤ値よりも４倍大きい、Ｃ７に記載の方法。
［Ｃ９］
ＣＳＤ値の前記第３のセットを前記決定することが、
少なくとも１つの割り当てられたＣＳＤ値を決定することと、
前記決定された少なくとも１つの割り当てられたＣＳＤ値に基づいて、前記複数のアンテナの各アンテナのためのアンテナＣＳＤ値を決定することと、
を備える、Ｃ６に記載の方法。
［Ｃ１０］
ワイヤレス通信のための装置であって、
複数のアンテナ上で情報の第１のセットを送信するためのサイクリックシフト遅延（ＣＳＤ）値の第１のセットを決定するための手段と、
前記複数のアンテナ上で情報の第２のセットを送信するためのＣＳＤ値の第２のセットを決定するための手段と、
ＣＳＤ値の前記第１のセットに基づいて情報の前記第１のセットを送信し、ＣＳＤ値の前記第２のセットに基づいて情報の前記第２のセットを送信するための手段と、
を備える、装置。
［Ｃ１１］
ＣＳＤ値の前記第１のセットを決定するための前記手段が、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
を行うように構成される、Ｃ１０に記載の装置。
［Ｃ１２］
ＣＳＤ値の前記第１のセットを決定するための前記手段が、
ストリームの割り当てられた数に基づいて、少なくとも１つの割り当てられたＣＳＤ値を決定することと、
前記決定された少なくとも１つの割り当てられたアンテナＣＳＤ値に基づいて、前記複数のアンテナの各アンテナのためのアンテナＣＳＤ値を決定することと、
を行うように構成される、Ｃ１０に記載の装置。
［Ｃ１３］
ＣＳＤ値の前記第２のセットを決定するための前記手段が、
情報の前記第２のセットを送信するための複数のストリームを識別することと、
前記複数のストリームの各ストリームのためのストリームＣＳＤ値を決定することと、
を行うように構成される、Ｃ１０に記載の装置。
［Ｃ１４］
４ｘ持続時間をもつシンボルのための前記ストリームＣＳＤ値が、１ｘ持続時間をもつ非レガシーシンボルのＣＳＤ値よりも４倍大きい、Ｃ１３に記載の装置。
［Ｃ１５］
前記複数のアンテナ上で情報の前記第２のセットを送信するためのＣＳＤ値の第３のセットを決定するための手段をさらに備え、
ここにおいて、情報の前記第２のセットを送信することが、ＣＳＤ値の前記第２のセットと前記第３のセットとに基づく、
Ｃ１０に記載の装置。
［Ｃ１６］
ＣＳＤ値の前記第３のセットを決定するための前記手段が、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
を行うように構成される、Ｃ１５に記載の装置。
［Ｃ１７］
４ｘ持続時間をもつシンボルのための前記アンテナＣＳＤ値が、１ｘ持続時間をもつ非レガシーシンボルのＣＳＤ値よりも４倍大きい、Ｃ１６に記載の装置。
［Ｃ１８］
ＣＳＤ値の前記第３のセットを決定するための前記手段が、
少なくとも１つの割り当てられたＣＳＤ値を決定することと、
前記決定された少なくとも１つの割り当てられたＣＳＤ値に基づいて、前記複数のアンテナの各アンテナのためのアンテナＣＳＤ値を決定することと、
を行うように構成される、Ｃ１５に記載の装置。
［Ｃ１９］
ワイヤレス通信のための装置であって、
メモリと、
前記メモリに結合され、
複数のアンテナ上で情報の第１のセットを送信するためのサイクリックシフト遅延（ＣＳＤ）値の第１のセットを決定することと、
前記複数のアンテナ上で情報の第２のセットを送信するためのＣＳＤ値の第２のセットを決定することと、
ＣＳＤ値の前記第１のセットに基づいて情報の前記第１のセットを送信し、ＣＳＤ値の前記第２のセットに基づいて情報の前記第２のセットを送信することと、
を行うように構成される、少なくとも１つのプロセッサと、
を備える、装置。
［Ｃ２０］
前記少なくとも１つのプロセッサが、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
によってＣＳＤ値の第１のセットを決定するように構成される、Ｃ１９に記載の装置。
［Ｃ２１］
前記少なくとも１つのプロセッサが、
ストリームの割り当てられた数に基づいて、少なくとも１つの割り当てられたＣＳＤ値を決定することと、
前記決定された少なくとも１つの割り当てられたアンテナＣＳＤ値に基づいて、前記複数のアンテナの各アンテナのためのアンテナＣＳＤ値を決定することと、
によってＣＳＤ値の前記第１のセットを決定するように構成される、Ｃ１９に記載の装置。
［Ｃ２２］
前記少なくとも１つのプロセッサが、
情報の前記第２のセットを送信するための複数のストリームを識別することと、
前記複数のストリームの各ストリームのためのストリームＣＳＤ値を決定することと、
によってＣＳＤ値の前記第２のセットを決定するように構成される、Ｃ１９に記載の装置。
［Ｃ２３］
４ｘ持続時間をもつシンボルのための前記ストリームＣＳＤ値が、１ｘ持続時間をもつ非レガシーシンボルのＣＳＤ値よりも４倍大きい、Ｃ２２に記載の装置。
［Ｃ２４］
前記少なくとも１つのプロセッサが、前記複数のアンテナ上で情報の前記第２のセットを送信するためのＣＳＤ値の第３のセットを決定するようにさらに構成され、ここにおいて、前記少なくとも１つのプロセッサが、ＣＳＤ値の前記第２のセットと前記第３のセットとに基づいて、情報の前記第２のセットを送信するように構成される、Ｃ１９に記載の装置。
［Ｃ２５］
前記少なくとも１つのプロセッサが、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
によってＣＳＤ値の前記第３のセットを決定するように構成される、Ｃ２４に記載の装置。
［Ｃ２６］
４ｘ持続時間をもつシンボルのための前記アンテナＣＳＤ値が、１ｘ持続時間をもつ非レガシーシンボルのＣＳＤ値よりも４倍大きい、Ｃ２５に記載の装置。
［Ｃ２７］
前記少なくとも１つのプロセッサが、
少なくとも１つの割り当てられたＣＳＤ値を決定することと、
前記決定された少なくとも１つの割り当てられたＣＳＤ値に基づいて、前記複数のアンテナの各アンテナのためのアンテナＣＳＤ値を決定することと、
によってＣＳＤ値の前記第３のセットを決定するように構成される、Ｃ２４に記載の装置。
［Ｃ２８］
ワイヤレスデバイスによるワイヤレス通信のためのコンピュータ実行可能コードを記憶するコンピュータ可読媒体であって、
複数のアンテナ上で情報の第１のセットを送信するためのサイクリックシフト遅延（ＣＳＤ）値の第１のセットを決定することと、
前記複数のアンテナ上で情報の第２のセットを送信するためのＣＳＤ値の第２のセットを決定することと、
ＣＳＤ値の前記第１のセットに基づいて情報の前記第１のセットを送信し、ＣＳＤ値の前記第２のセットに基づいて情報の前記第２のセットを送信することと、
を行うためのコードを備える、コンピュータ可読媒体。
［Ｃ２９］
ＣＳＤ値の前記第１のセットを決定するための前記コードが、
前記複数のアンテナの各アンテナのためのアンテナＣＳＤ値を決定することと、
ユーザＣＳＤオフセットを決定することと、
前記決定されたユーザＣＳＤオフセットに基づいて、前記複数のアンテナの各アンテナのための前記アンテナＣＳＤ値を変更することと、
を行うためのコードを備える、Ｃ２８に記載のコンピュータ可読媒体。
［Ｃ３０］
ＣＳＤ値の前記第１のセットを決定するための前記コードが、
ストリームの割り当てられた数に基づいて、少なくとも１つの割り当てられたＣＳＤ値を決定することと、
前記決定された少なくとも１つの割り当てられたアンテナＣＳＤ値に基づいて、前記複数のアンテナの各アンテナのためのアンテナＣＳＤ値を決定することと、
を行うためのコードを備える、Ｃ２８に記載のコンピュータ可読媒体。
【図１】
0006479971.tif 000002
【図２】
0006479971.tif 000003
【図３】
0006479971.tif 000004
【図４】
0006479971.tif 000005
【図５】
0006479971.tif 000006
【図６】
0006479971.tif 000007
【図７】
0006479971.tif 000008